(57)【要約】【課題】独立ＣＣ駆動の液晶表示装置において、不意の電源の供給停止の場合でも、ＯＦＦ残像の表示が少ない液晶表示装置、液晶表示装置の停止方法、そのプログラム、媒体を提供すること【解決手段】ゲートドライバ１１、ソースドライバ１０、バッテリー２６、ゲートライン、ソースライン、トランジスタ２、トランジスタ２のドレイン側にその一方側が接続されたコンデンサ４、その一方側がトランジスタ２のドレイン側に接続され、その他方側が対向電極９側に接続された液晶素子３、およびバッテリー２６の電位を検出する電源電位検出手段２７、を備え、補償信号ラインは、コンデンサ４の他方側に接続され、電源電位検出手段２７が、前記バッテリー２６の電位の絶対値が所定値以下に低下したとき、ゲートドライバ１１およびソースドライバ１０は、液晶素子３およびコンデンサ４に蓄えられた電荷を放電させる、液晶表示装置。【選択図】    図２
2004240062.tif 000002
【特許請求の範囲】
【請求項１】
ゲート信号を制御するためのゲートドライバ部と、
ソース信号を制御するためのソースドライバ部と、
前記ゲートドライバ部および前記ソースドライバ部に電源を供給するための電源と、
前記ゲートドライバ部に接続されたゲートラインと、
前記ソースドライバ部に接続されたソースラインと、
そのゲート側に前記ゲートラインが接続され、そのソース側に前記ソースラインが接続されたトランジスタと、
前記トランジスタのドレイン側にその一方側が接続されたコンデンサと、
その一方側が前記トランジスタのドレイン側に接続された液晶素子と、
前記液晶素子に対向して配置される対向電極と、
前記電源の電位を検出する電源電位検出手段と、
前記ゲートドライバ部に接続され、前記液晶素子に補償電位を供給するための補償信号ラインと、を備え、
前記液晶素子の他方側が前記対向電極側に接続され、
前記補償信号ラインは、前記コンデンサの他方側に接続され、
前記電源電位検出手段が、前記電源の電位の絶対値が所定値以下に低下したことを検出したとき、前記ゲートドライバ部および前記ソースドライバ部は、前記液晶素子および前記コンデンサに蓄えられた電荷を放電させる、液晶表示装置。
【請求項２】
前記ゲートラインはｎ（ｎは１以上）本のゲートラインから構成され、前記ソースラインはｍ（ｍは１以上）本のソースラインから構成され、前記補償信号ラインはｎ本の補償信号ラインから構成され、
前記トランジスタは、ｎ×ｍ個のトランジスタであり、各トランジスタは、そのゲート側が前記ｎ本のゲートラインのうちｉ（ｉは１以上ｎ以下）番目のゲートラインに接続され、そのソース側が前記ｍ本のソースラインのうちｊ（ｊは１以上ｎ以下）番目のソースラインに接続され、
前記液晶素子は、前記ｎ×ｍ個のトランジスタの各々に１対１で対応する、ｎ×ｍ個の液晶素子であり、
前記コンデンサは、前記ｎ×ｍ個のトランジスタの各々に１対１で対応する、ｎ×ｍ個のコンデンサであり、
前記各トランジスタのドレイン側が、前記各コンデンサの一方側に接続され、前記各コンデンサの他方側が、前記ｎ本の補償信号ラインのうちｉ番目の補償信号ラインに接続され、
前記電源電位検出手段が、前記電源の電位の絶対値が所定値以下に低下したことを検出したとき、
前記ゲートドライバ部は、前記ｎ本のゲートラインのうち、ゲートＯＮ信号が印加されていない少なくとも１本のゲートラインにゲートＯＮ信号を印加して、前記ｎ×ｍ個の液晶素子のうち、前記少なくとも１本のゲートラインに対応する液晶素子に蓄えられた電荷を前記ｍ本のソースラインおよび前記対向電極を介して放電させ、前記ｎ×ｍ個のコンデンサのうち、前記少なくとも１本の補償信号ラインに対応するコンデンサに蓄えられた電荷を、前記補償信号ラインを介して放電させる、請求項１に記載の液晶表示装置。
【請求項３】
前記電源電位検出手段が、前記電源電位の絶対値が所定値以下に低下したことを検出したとき、
前記ソースドライバ部は、前記ｍ本のソースラインを接地側に接続することにより、前記液晶素子および前記コンデンサに蓄えられた電荷を放電させ、
前記ゲートドライバ部は、前記ｎ本の補償信号ラインを接地側に接続することにより、前記コンデンサに蓄えられた電荷を放電させ、
前記対向電極に印加される電位を接地電位とすることにより、前記液晶素子および前記コンデンサに蓄えられた電荷を放電させる、請求項２に記載の液晶表示装置。
【請求項４】
前記電源電位検出手段が、前記電源の電位の絶対値が所定値以下に低下したことを検出したとき、前記ゲートドライバ部および前記ソースドラライバ部は、前記ｍ本のソースラインの電位および前記ｎ本の補償信号ラインの電位を、前記対向電極の電位と等しくさせることにより、前記液晶素子および前記コンデンサに蓄えられた電荷を放電させる、請求項２に記載の液晶表示装置。
【請求項５】
前記電源電位検出手段が、前記電源の電位の絶対値が所定値以下に低下したことを検出したとき、前記ゲートドライバ部は、前記少なくとも１本のゲートラインにゲートＯＮ信号を印加する代わりに、前記少なくとも１本のゲートラインに接地電位を印加することにより、前記少なくとも１本のゲートラインに対応する液晶素子およびコンデンサに蓄えられた電荷を、前記ソースラインおよび前記補償信号ラインを介して放電させる、請求項２に記載の液晶表示装置。
【請求項６】
請求項１に記載の液晶表示装置のゲート信号を制御するためのゲートドライバ部としてコンピュータを機能させるのためのプログラム。
【請求項７】
請求項１に記載の液晶表示装置のソース信号を制御するためのソースドライバ部としてコンピュータを機能させるためのプログラム。
【請求項８】
請求項６に記載のプログラムを担持した媒体であって、コンピュータで処理可能な媒体。
【請求項９】
請求項７に記載のプログラムを担持した媒体であって、コンピュータで処理可能な媒体。
【請求項１０】
ゲート信号を制御するためのゲートドライバ部と、
ソース信号を制御するためのソースドライバ部と、
前記ゲートドライバ部および前記ソースドライバ部に電源を供給するための電源と、
前記ゲートドライバ部に接続されたゲートラインと、
前記ソースドライバ部に接続されたソースラインと、
そのゲート側に前記ゲートラインが接続され、そのソース側に前記ソースラインが接続されたトランジスタと、
前記トランジスタのドレイン側にその一方側が接続されたコンデンサと、
その一方側が前記トランジスタのドレイン側に接続され、その他方側が対向電極側に接続された液晶素子と、
前記液晶素子に対向して配置される対向電極と、
前記電源の電位を検出する電源電位検出手段と、
前記ゲートドライバ部に接続され、前記液晶素子に補償電位を供給するための補償信号ラインと、を備えた液晶表示装置の停止方法であって、
前記補償信号ラインは、前記コンデンサの他方側に接続され、
前記電源電位検出手段が、前記電源の電位の絶対値が所定値以下に低下したことを検出したとき、前記ゲートドライバ部および前記ソースドライバ部は、前記液晶素子および前記コンデンサに蓄えられた電荷を放電させる、液晶表示装置の停止方法。
【発明の詳細な説明】
【０００１】
【発明の属する技術分野】
本発明は、アクティブマトリクス素子を備えた液晶表示装置、その停止方法、プログラム、および媒体に関する。
【０００２】
【従来の技術】
図４は、従来のアクティブマトリクス素子を使用した、対向反転駆動タイプの液晶表示装置の画素部の等価回路を示す。ＴＦＴ（薄膜トランジスタ）１０３のゲート側にはゲートライン１０１が接続され、図４に示す回路において、ＴＦＴ１０３のソース側にはソースライン１０２が接続され、ＴＦＴ１０３のドレイン側には蓄積容量１０５の一方側および液晶容量１０６の一方側が接続され、蓄積容量１０５の他方側および液晶容量１０６の他方側は、ともに対向電極１０７に接続されている。
【０００３】
上記の構成の液晶表示装置において、その電源が何らかの原因により不意に落ちた場合を想定し、その場合の動作を図５を参照しながら説明する。電源がｔａの時点で、その供給が停止されるとすると、ｔａの時点において選択されているゲートラインＧ（ｎ）の電位は、ＴＦＴ１０３のゲートＯＮ電圧であるＶＧＯＮから接地電位であるＶＳＳに徐々に移行する。一方、Ｇ（ｎ）以外の選択されていないゲートラインはＴＦＴ１０３のゲートＯＦＦ電圧であるＶＧＯＦＦからＶＳＳに徐々に移行する。
【０００４】
また、このときの液晶表示素子３における画素電位の変化は、液晶表示素子３を通過するリークパス１１０、蓄積容量１０５を通過するリークパス１０９、ＴＦＴ１０３を通過するリークパス１０８により生じる。この場合、特性のよい液晶表示装置ほど、ＴＦＴ１０３によるリークが少ないため、電源の供給が停止された場合でも画素電位が変化しにくくなるので、ｔａから電位がＶＳＳに至るまでの時間が長くなり、その間に液晶表示素子３に電荷が残り、その結果、液晶画面に残像が残る現象（以下ＯＦＦ残像という。）が生じる。
【０００５】
一方、通常使用時に電源をＯＦＦする場合は、例えばノーマリーホワイトの場合は、電源ＯＦＦコマンドが入力された後に、白電圧を各画素に書き込む等の方法によりＯＦＦ残像対策を行うため上記のような問題は生じない。
【０００６】
そこで、上記のような不意に電源喪失したときのＯＦＦ残像問題の対策案として、不意の電源電圧絶対値の降下を検出したときに全ゲートをＯＮとし、液晶表示素子３、蓄積容量１０５に蓄積される電荷を放電させる、という提案がなされている（例えば、特許文献１参照）。
【０００７】
図６は、このような場合の各ゲートラインの動作を示す説明図である。図６において、電源がｔａの時点で喪失されその電圧が変化し始めたとすると、電源電位検出手段（図示せず）は、電源電位がＶ１（ＶＳＳ＜Ｖ１＜ＶＣＣ）に達したことをｔｂの時点で検出し、ゲートドライバ（図示せず）は、ｔｂの時点でＧ（ｎ）以外のゲートラインである選択されていないゲートラインもＯＮ動作させる。そしてソースドライバ（図示せず）は、ソーンラインを接地側に接続し、対向電極１０７は接地側に接続される。このような動作により、液晶表示素子３、蓄積容量１０５に蓄積される電荷を瞬時に放電させることができるので、意図しない電源の供給停止時にも、ＯＦＦ残像の発生を低減することができる。
【０００８】
図７は、独立ＣＣ駆動方式の液晶表示装置の回路構成を示す図である（例えば、特許文献２参照）。図７に示す独立ＣＣ駆動方式の液晶表示装置において、ソースドライバ１０には、各ソースラインＳ１〜Ｓｍが接続され、各ソースラインＳ１〜Ｓｍには、各ＴＦＴ２のソース側が接続されている。ゲートドライバ１１には、各ゲートラインＸ１〜Ｘｎが接続され、ゲートラインＸ１〜Ｘｎには、各ＴＦＴ２のゲート側が接続されている。また、ゲートドライバ１１には、各ゲートラインＸ１〜Ｘｎに平行して、各画素に補償電位を供給するための補償信号ラインＸ１ｃ〜Ｘｎｃが接続されている。各ＴＦＴ２のドレイン側には、各蓄積容量４の一方側および各液晶表示素子３の一方側が接続されている。そして、液晶表示素子３の他方側は、対向電極９に接続されている。また、各蓄積容量４の他方側は、各補償信号ラインＸ１ｃ〜Ｘｎｃに接続されている。
【０００９】
図８は、図７に示す独立ＣＣ駆動の液晶表示装置の１Ｈ反転駆動の動作を説明する図である。図８（Ａ）は、ｎ本のゲートラインＸ１〜Ｘｎ、ｎ本の補償信号ラインＸ１ｃ〜Ｘｎｃにおけるタイムチャートを示す。上記タイムチャートを順次説明すると、１フレーム開始時点である時刻ｔ１においてゲートラインＸ１がＯＮし、時刻ｔ１から所定の時間が経過した時刻ｔ２においてゲートラインＸ１がＯＦＦし、その後ゲートラインＸ２がＯＮする。そして、時刻ｔ２から上記所定時間の経過した時刻ｔ３においてゲートラインＸ２をＯＦＦし、その後ゲートラインＸ３をＯＮさせる。以降同様に、時刻ｔｎにおいてゲートラインＸ（ｎ−１）をＯＦＦさせ、その後ゲートラインＸｎをＯＮさせ、時刻ｔ（ｎ＋１）において、ゲートラインＸｎをＯＦＦさせる。そして、補償信号ラインＸ１ｃにおける補償電位を時刻ｔ３においてＨからＬに変化させ、次のフレームの時刻ｔ’３においてＬからＨに変化させる。補償信号ラインＸ２ｃにおける補償電位を、時刻ｔ４においてＬからＨに変化させ、次のフレームの時刻ｔ’４においてＨからＬに変化させる。そして、補償信号ラインＸ３ｃを、時刻ｔ５においてＨからＬに変化させ、次のフレームの時刻ｔ’５においてＬからＨに変化させる。以降同様に、奇数番目の補償信号ラインＸｉ（ｉは１以上ｎ以下）を、時刻ｔ（ｉ＋２）においてＨからＬに変化させ、次のフレームの時刻ｔ’（ｉ＋２）においてＬからＨに変化させる。そして偶数番目の補償信号ラインＸｉを、時刻（ｉ＋２）においてＬからＨに変化させる。
【００１０】
図８（Ｂ）は、偶数番目のゲートラインにおける各液晶表示素子３の上記一方側における電位（以下画素電位という。）の変化を示すタイムチャートである。例えば、ゲートラインＸ２および補償信号ラインＸ２ｃにおける動作を説明すると、時刻ｔ２において、ゲートラインＸ２がＯＮされ、時刻ｔ３に至るまで、各液晶表示素子３の一方側には、ソース信号ラインからソース信号が充電される。そして時刻ｔ３において、上記画素電位は、ゲートラインＸ２がＯＦＦされることにより、
【００１１】
【数１】
（Ｃｇｄ／Ｃｔｏｔ）×ΔＶＧ
だけ電位が変動する（Ｃｇｄは、ゲート−ドレイン間の寄生容量を表し、ＶＧは、ゲート電位、ΔＶＧは、ゲート電位の変化を表す。すなわち、
【００１２】
【数２】
ΔＶＧ  ＝  ＶＧＯＦＦ−ＶＧＯＮ
で表される。ここで、ＶＧＯＦＦは、ゲートラインＸ２がＯＦＦのときの電位、ＶＧＯＮは、ゲートラインＸ２がＯＮのときの電位であり、Ｃｔｏｔは、１画素あたりの総容量を表す。）。
【００１３】
その後、時刻ｔ４において、補償信号ラインＸ２ｃから供給される補償電位（ＶＧＥ）がＬからＨに、
【００１４】
【数３】
ΔＶＧＥ＝ＶＧＥ（変化後）−ＶＧＥ（変化前）
変化すると、画素電位は、
【００１５】
【数４】
（ＣＳＴ／Ｃｔｏｔ）×ΔＶＧＥ
だけ変動する（ＣＳＴは、蓄積容量１０５の容量を表す。）。そして、次のフレームの時刻ｔ’２において、ゲートラインＸ２がＯＮされ、ソース信号ラインからソース信号が逆充電され、時刻ｔ’３において、上記画素電位は、ゲートラインＸ２がＯＦＦされることにより、
【００１６】
【数５】
（Ｃｇｄ／Ｃｔｏｔ）×ΔＶＧ
だけ電位が変動する。その後、時刻ｔ’４において、補償信号ラインＸ２ｃから供給されていた電位がＨからＬに、ΔＶＧＥ変化すると、画素電位は、
【００１７】
【数６】
（ＣＳＴ／Ｃｔｏｔ）×ΔＶＧＥ
だけ変動する。このような独立ＣＣ駆動の動作により、対向電圧を直流化することができる液晶表示装置を提供することができる。
【００１８】
【特許文献１】
特開平１１−２７１７０７号公報
【特許文献２】
特開平２−９１３号公報
【００１９】
【発明が解決しようとする課題】
しかし、上記の独立ＣＣ駆動の液晶表示装置において、不意の電源の供給停止に対応するために、図６に示す動作と同様の動作をすると、以下のような問題が生じていた。
【００２０】
すなわち、上記の独立ＣＣ駆動の液晶表示装置において、不意の電源停止が発生すると、対向電極の電位、各画素電位は、接地電位ＶＳＳに移行しようとする。しかしながら、補償信号ライン（Ｘ１ｃ〜Ｘｎｃ）に電位が残っているため、対向電極〜補償信号ライン（Ｘ１ｃ〜Ｘｎｃ）間の電位差がＣＳＴ（対向電極〜画素間の容量）およびＣｌｃ（蓄積容量４の容量）の比によって分圧されて出力されようとするため、補償信号ラインが無い場合に比べて、より長時間にわたって液晶表示素子３に電圧が印加される状態となる。その結果、液晶表示素子３にはＯＦＦ残像が表示される、という課題が生じていた。
【００２１】
本発明は、上記課題を考慮し、独立ＣＣ駆動の液晶表示装置において、不意の電源の供給停止の場合でも、ＯＦＦ残像が少ない液晶表示装置、液晶表示装置の停止方法、そのプログラム、媒体を提供することを目的とする。
【００２２】
【課題を解決するための手段】
第１の本発明は、ゲート信号を制御するためのゲートドライバ部（２１，３１）と、ソース信号を制御するためのソースドライバ部（２０）と、前記ゲートドライバ部（２１，３１）および前記ソースドライバ部（２０）に電源を供給するための電源（２６）と、前記ゲートドライバ部（２１，３１）に接続されたゲートライン（Ｘ１〜Ｘｎ）と、前記ソースドライバ部（２０）に接続されたソースライン（Ｓ１〜Ｓｍ）と、そのゲート側に前記ゲートライン（Ｘ１〜Ｘｎ）が接続され、そのソース側に前記ソースライン（Ｓ１〜Ｓｍ）が接続されたトランジスタ（２）と、前記トランジスタ（２）のドレイン側にその一方側が接続されたコンデンサ（４）と、その一方側が前記トランジスタ（２）のドレイン側に接続された液晶素子（３）と、前記液晶素子（３）に対向して配置される対向電極（９）と、前記電源（２６）の電位を検出する電源電位検出手段（２７）と、を備え、前記液晶表示素子の他方側が前記対向電極側に接続され、前記ゲートドライバ部（２１，３１）に接続され、前記液晶素子（３）に補償電位を供給するための補償信号ライン（Ｘ１ｃ〜Ｘｎｃ）と、を備え、前記補償信号ライン（Ｘ１ｃ〜Ｘｎｃ）は、前記コンデンサ（４）の他方側に接続され、前記電源電位検出手段（２７）が、前記電源（２６）の電位の絶対値が所定値以下に低下したことを検出したとき、前記ゲートドライバ部（２１，３１）および前記ソースドライバ部（２０）は、前記液晶素子（３）および前記コンデンサ（４）に蓄えられた電荷を放電させる、液晶表示装置である。
【００２３】
第２の本発明は、前記ゲートライン（Ｘ１〜Ｘｎ）はｎ（ｎは１以上）本のゲートライン（Ｘ１〜Ｘｎ）から構成され、前記ソースライン（Ｓ１〜Ｓｍ）はｍ（ｍは１以上）本のソースライン（Ｓ１〜Ｓｍ）から構成され、前記補償信号ライン（Ｘ１ｃ〜Ｘｎｃ）はｎ本の補償信号ライン（Ｘ１ｃ〜Ｘｎｃ）から構成され、前記トランジスタ（２）は、ｎ×ｍ個のトランジスタ（２）であり、各トランジスタ（２）は、そのゲート側が前記ｎ本のゲートライン（Ｘ１〜Ｘｎ）のうちｉ（ｉは１以上ｎ以下）番目のゲートライン（Ｘ１〜Ｘｎ）に接続され、そのソース側が前記ｍ本のソースライン（Ｓ１〜Ｓｍ）のうちｊ（ｊは１以上ｎ以下）番目のソースライン（Ｓ１〜Ｓｍ）に接続され、前記液晶素子（３）は、前記ｎ×ｍ個のトランジスタ（２）の各々に１対１で対応する、ｎ×ｍ個の液晶素子（３）であり、前記コンデンサ（４）は、前記ｎ×ｍ個のトランジスタ（２）の各々に１対１で対応する、ｎ×ｍ個のコンデンサ（４）であり、前記各トランジスタ（２）のドレイン側が、前記各コンデンサ（４）の一方側に接続され、前記各コンデンサ（４）の他方側が、前記ｎ本の補償信号ライン（Ｘ１ｃ〜Ｘｎｃ）のうちｉ番目の補償信号ライン（Ｘ１ｃ〜Ｘｎｃ）に接続され、前記電源電位検出手段（２７）が、前記電源（２６）の電位の絶対値が所定値以下に低下したことを検出したとき、前記ゲートドライバ部（２１，３１）は、前記ｎ本のゲートライン（Ｘ１〜Ｘｎ）のうち、ゲートＯＮ信号が印加されていない少なくとも１本のゲートライン（Ｘ１〜Ｘｎ）にゲートＯＮ信号を印加して、前記ｎ×ｍ個の液晶素子（３）のうち、前記少なくとも１本のゲートライン（Ｘ１〜Ｘｎ）に対応する液晶素子（３）に蓄えられた電荷を前記ｍ本のソースライン（Ｓ１〜Ｓｍ）および前記対向電極（９）を介して放電させ、前記ｎ×ｍ個のコンデンサ（４）のうち、前記少なくとも１本の補償信号ライン（Ｘ１ｃ〜Ｘｎｃ）に対応するコンデンサ（４）に蓄えられた電荷を、前記ｎ本の補償信号ライン（Ｘ１ｃ〜Ｘｎｃ）を介して放電させる、第１の本発明の液晶表示装置である。
【００２４】
第３の本発明は、前記電源電位検出手段（２７）が、前記電源電位の絶対値が所定値以下に低下したことを検出したとき、前記ソースドライバ部（２０）は、前記ｍ本のソースライン（Ｓ１〜Ｓｍ）を接地側に接続することにより、前記液晶素子（３）および前記コンデンサ（４）に蓄えられた電荷を放電させ、前記ゲートドライバ部（２１，３１）は、前記ｎ本の補償信号ライン（Ｘ１ｃ〜Ｘｎｃ）を接地側に接続することにより、前記コンデンサ（４）に蓄えられた電荷を放電させ、前記対向電極（９）に印加される電位を接地電位とすることにより、前記液晶素子（３）および前記コンデンサ（４）に蓄えられた電荷を放電させる、第２の本発明の液晶表示装置である。
【００２５】
第４の本発明は、前記電源電位検出手段（２７）が、前記電源（２６）の電位の絶対値が所定値以下に低下したことを検出したとき、前記ゲートドライバ部（２１，３１）は、前記ｍ本のソースライン（Ｓ１〜Ｓｍ）の電位および前記ｎ本の補償信号ライン（Ｘ１ｃ〜Ｘｎｃ）の電位を、前記対向電極（９）の電位と等しくさせることにより、前記液晶素子（３）および前記コンデンサ（４）に蓄えられた電荷を放電させる、第２の本発明の液晶表示装置である。
【００２６】
第５の本発明は、前記電源電位検出手段（２７）が、前記電源（２６）の電位の絶対値が所定値以下に低下したことを検出したとき、前記ゲートドライバ部（２１，３１）は、前記少なくとも１本のゲートライン（Ｘ１〜Ｘｎ）にゲートＯＮ信号を印加する代わりに、少なくとも前記１本のゲートライン（Ｘ１〜Ｘｎ）に接地電位を印加することにより、前記少なくとも１本のゲートライン（Ｘ１〜Ｘｎ）に対応する液晶素子（３）およびコンデンサ（４）に蓄えられた電荷を、前記ソースライン（Ｓ１〜Ｓｍ）および前記補償信号ライン（Ｘ１ｃ〜Ｘｎｃ）を介して放電させる、第２の本発明の液晶表示装置である。
【００２７】
第６の本発明は、第１の本発明の液晶表示装置のゲート信号を制御するためのゲートドライバ部（２１，３１）としてコンピュータを機能させるのためのプログラムである。
【００２８】
第７の本発明は、第１の本発明の液晶表示装置のソース信号を制御するためのソースドライバ部（２０）としてコンピュータを機能させるためのプログラムである。
【００２９】
第８の本発明は、第６の本発明のプログラムを担持した媒体であって、コンピュータで処理可能な媒体である。
【００３０】
第９の本発明は、第７の本発明のプログラムを担持した媒体であって、コンピュータで処理可能な媒体である。
【００３１】
第１０の本発明は、ゲート信号を制御するためのゲートドライバ部（２１，３１）と、ソース信号を制御するためのソースドライバ部（２０）と、
前記ゲートドライバ部（２１，３１）および前記ソースドライバ部（２０）に電源を供給するための電源（２６）と、前記ゲートドライバ部（２１，３１）に接続されたゲートライン（Ｘ１〜Ｘｎ）と、前記ソースドライバ部（２０）に接続されたソースライン（Ｓ１〜Ｓｍ）と、そのゲート側に前記ゲートライン（Ｘ１〜Ｘｎ）が接続され、そのソース側に前記ソースライン（Ｓ１〜Ｓｍ）が接続されたトランジスタ（２）と、前記トランジスタ（２）のドレイン側にその一方側が接続されたコンデンサ（４）と、その一方側が前記トランジスタ（２）のドレイン側に接続され、その他方側が対向電極（９）側に接続された液晶素子（３）と、前記液晶素子（３）に対向して配置される対向電極（９）と、前記電源（２６）の電位を検出する電源電位検出手段（２７）と、を備え、前記ゲートドライバ部（２１，３１）は、前記液晶素子（３）に補償電位を供給するための補償信号ライン（Ｘ１ｃ〜Ｘｎｃ）に接続され、前記補償信号ライン（Ｘ１ｃ〜Ｘｎｃ）は、前記コンデンサ（４）の他方側に接続された液晶表示装置の停止方法であって、前記電源電位検出手段（２７）が、前記電源（２６）の電位の絶対値が所定値以下に低下したことを検出したとき、前記ゲートドライバ部（２１，３１）および前記ソースドライバ部（２０）は、前記液晶素子（３）および前記コンデンサ（４）に蓄えられた電荷を放電させる工程、を備える液晶表示装置の停止方法である。
【００３２】
【発明の実施の形態】
（実施の形態１）
本発明の実施の形態１の液晶表示装置の構成を、図１に示す。
【００３３】
図１において、液晶表示パネル５には、液晶表示パネル５に駆動電圧を供給するための本発明の電源の一例であるバッテリー２６が接続され、バッテリー２６には、バッテリー２６から供給される電源電位を検出する本発明の電源電位検出手段の一例である電源電位検出手段２７が接続されている。また、電源電位検出手段２７は液晶表示パネル５に接続されている。電源電位検出手段２７としては、半導体スイッチなど電位の低下を瞬時に検出できるものが使用される。そして、液晶表示パネル５、バッテリー２６、電源電位検出手段２７は、携帯電話等の本体２４の中に収容されている。
【００３４】
図２は、本実施の形態の液晶表示装置のうちの液晶表示パネル５の構成を示す回路である。図２に示す回路図において、図７に示すものと同様の構成要素については、同一の参照符号を付しその説明を省略する。
【００３５】
図２に示す構成において、ゲートドライバ２１は本発明のゲートドライバ部の一例であり、ソースドライバ２０は本発明のソースドライバ部の一例であり、ゲートラインＸ１〜Ｘｎは本発明のゲートラインの一例であり、ソースラインＳ１〜Ｓｍは本発明のソースラインの一例である。また、ｎ×ｍ個の蓄積容量４は本発明のコンデンサの一例であり、ｎ×ｍ個の液晶表示素子３は、本発明の液晶素子の一例であり、補償信号ラインＸ１ｃ〜Ｘｎｃは、本発明の補償信号ラインの一例である。また、ゲートラインＸ１〜Ｘｎのそれぞれにそのゲート側が接続され、ソースラインＳ１〜Ｓｍのそれぞれにそのソース側が接続された、ｎ×ｍ個のＴＦＴ２は、本発明のトランジスタの一例である。
【００３６】
ここで、各ＴＦＴ２は、そのゲート側がゲートラインＸ１〜Ｘｎのうちｉ（ｉは１以上ｎ以下）番目のゲートラインに接続され、そのソース側がソースラインＳ１〜Ｓｍのうちｊ（ｊは１以上ｎ以下）番目のソースラインに接続されている。また、上記ｎ×ｍ個の蓄積容量は、上記ｎ×ｍ個のＴＦＴ２に１対１で対応しており、上記ｎ×ｍ個の液晶表示素子も、上記ｎ×ｍ個のＴＦＴに１対１で対応している。また、またｉ番目のゲートラインに接続されているＴＦＴ２の各ドレイン側にその一方が接続される各蓄積容量４の他方側は、補償信号ラインＸ１ｃ〜Ｘｎｃのうちｉ番目の補償信号ラインに接続されている。
【００３７】
また、各液晶表示素子３の他方側は、経路２３を介して対向電極９に接続されている。
【００３８】
また、各ＴＦＴ２、各蓄積容量４、および各液晶表示素子３は、図７の破線で示されるように各表示画素１を形成する。
【００３９】
次に、上記の構成の本発明の実施の形態１の液晶表示装置の動作を説明する。なお、下記の説明は、図６に示す動作とほぼ同様である。時刻ｔａにおいて、バッテリー２６がなんらかの原因で本体２４から脱落すると、電源電位ＶＣＣの絶対値は急減に低下する。電源電位検出手段２７は、時刻ｔｂにおいて電源電位がＶＣＣから所定の電位Ｖ１になったことを検出すると、電源電位低下検出信号を液晶表示パネル５に出力する。
【００４０】
液晶表示パネル５において、上記電源電位低下検出信号は、ソースドライバ２０、ゲートドライバ２１に伝達される。ゲートドライバ２１は、電源電位低下検出信号を受けると、ゲートラインＸ１〜Ｘｎの全部をＯＮさせ、補償信号ラインＸ１ｃ〜Ｘ１ｎの全部に接地電位を提供する。また、ソースドライバ２０は、上記電源電位低下検出信号を受けると、ソースラインＳ１〜Ｓｍの全部に接地電位を供給する。そして対向電極９には、電源電位低下検出信号が検出されると、経路２３を介して対向電極９に接地電位が供給される。
【００４１】
従って、対向電極９、各液晶表示素子（画素）３、および補償信号ラインＸ１ｃ〜Ｘｎｃに蓄積されていた電荷は、即座に接地側に放電されるので、図３に示すように、対向電極電位（Ｖｃｏｍ）、画素電位、および補償信号ライン電位の絶対値は、即座に（すなわち、各ゲートがＯＮの状態の間に）接地電位へ低下する。図３においては、画素電位は、時刻ｔｄ’（ｔｄ’＜ｔｄ）において接地電位に到達し、補償信号ラインは、時刻ｔｅ’（ｔｅ’＜ｔｅ）において接地電位に到達する様子を示す。ここで、ｔｄ、ｔｅは、補償信号ラインＸ１ｃ〜Ｘ１ｎに接地電位が供給されないとした場合の補償信号ラインＸ１ｃ〜Ｘ１ｎの電位および画素電位が接地電位になるまでの時間をそれぞれ示す。
【００４２】
このような動作により、不意にバッテリー２６が本体２４から脱落しても、液晶表示素子３に印加される電圧が即座にゼロとなるため、表示画素１にＯＦＦ残像が生じることがない。
【００４３】
なお、特許文献１には、電源の異常状態を検出したとき、全ゲートをＯＮ動作させ、各画素の一方側（すなわちドレイン側）および対向電極を接地側に接続する点が記載されているが、特許文献１に記載の液晶表示装置は、独立ＣＣ駆動の液晶表示装置ではなく、補償信号ラインＸ１ｃ〜Ｘｎｃを有していない。また、特許文献１に記載の液晶表示装置と、独立ＣＣ駆動の液晶表示装置を組み合わせてみても、各画素の一方側、および経路２３を接地側に接続する構成を得ることはできるが、補償信号ラインＸ１ｃ〜Ｘｎｃを接地側に接続する構成を得ることができない。
【００４４】
また、特許文献１の段落番号（００３４）には、電源オフを検出した場合に、信号線ドライバーやゲートドライバーに対する入力の所定電位の切り換えに加え、信号線ドライバーやゲートドライバーへのさらに他の入力を所定の電位（接地電位）に切り換えるようにしてもよい、という旨の記載があるが、本発明の補償信号ラインは、蓄積容量４を介してＴＦＴ２のドレイン側に接続されているにすぎないため、接地電位を補償信号ラインＸ１ｃ〜Ｘｎｃに供給しても、ソースラインＳ１〜Ｓｍへの影響は、ほとんどなく、本発明の補償信号ラインは、特許文献１に記載の信号線ドライバーやゲートドライバーへの入力には相当しない。また、特許文献１に記載のようにソースドライバ２０やゲートドライバ２１への他の入力を所定の電位に切り替えてみても、補償信号ラインＸ１ｃ〜Ｘｎｃの電位を接地電位とすることができない。
【００４５】
本発明の液晶表示装置は、補償信号ラインＸ１ｃ〜Ｘｎｃへ接地電位を供給することによりソースラインＳ１〜Ｓｍに影響を与えることを意図しているわけではなく、補償信号ラインＸ１ｃ〜Ｘｎｃへ接地電位を供給することにより蓄積容量４に蓄積されている電荷を放電させる作用をもって、液晶表示素子３のＯＦＦ残像を早期に低減させる効果を狙ったものである。従って、本発明の液晶表示装置の構成も効果も特許文献１に記載の液晶表示装置とは異なる。
【００４６】
なお、本実施の形態の以上までの説明において、ゲートドライバ２１は、電源電位低下検出信号を受けた後、全ゲートラインＸ１〜ＸｎをＯＮ動作させる、としてきたが、前記ゲートラインＸ１〜Ｘｎのうちの一部のゲートラインをＯＮ動作させる動作であってもよく、その場合も上記と同様の効果を得ることができる。
【００４７】
また、その場合、上記一部のゲートラインを、液晶表示パネル５の画面の部分表示されるべき部分に対応するゲートラインとすることも考えられる。例えば、携帯電話等において、画面の上部および下部にしか画像情報が表示されない場合がある。このような場合には、画像情報が表示される画面の上部および下部に対応するゲートラインにのみ、ゲートＯＮ信号を入力すればよい。
【００４８】
（実施の形態２）
本発明の実施の形態２の液晶表示装置の構成は、図１に示す液晶表示装置と同様の構成であるので、その説明は省略する。図９は、本実施の形態の液晶装置のうちの液晶表示パネル５を示す回路図である。液晶表示パネル５において、実施の形態１の液晶表示パネルと同様の構成要素は、同一の参照番号を付し、その説明は省略する。実施の形態１に示す液晶表示装置の液晶表示パネル５との違いは、ゲートドライバ３１に存在する。ゲートドライバ３１は、電源電位低下検出信号を受けたとき、全ゲートラインＸ１〜ＸｎをＯＮさせる代わりに、全ゲートラインＸ１〜Ｘｎに接地電位を提供する。
【００４９】
次に、実施の形態２の液晶表示装置の動作を説明する。図１０は、本実施の形態の液晶表示装置の動作を示すタイムチャートである。電源電位検出手段２７が所定の電位Ｖ１を時刻ｔｂにおいて検出したとき、電源電位検出手段２７からは電源電位低下検出信号が出力され、液晶表示パネル５に伝達される。液晶表示パネル５においては、上記のように全ゲートラインＸ１〜Ｘｎに接地電位（ＶＳＳ）が供給される。ＴＦＴ２において、そのゲート側が逆バイアス（すなわちＶＧＯＦＦ電位）が供給されているときは、ドレイン−ソース間のリークは極めて少ないが、上記のように、そのゲートに接地電位が供給されている状態では、ドレイン−ゲート間のリークが比較的生じやすくなり、液晶表示素子３および蓄積容量４に蓄積されている電荷がソースラインを介して放電されやすくなる。このように、本実施の形態の液晶装置によっても実施の形態１の液晶装置と同様の効果を得ることができる。
【００５０】
さらに、本実施の形態の液晶表示装置によれば、ゲートラインＸ１〜ＸｎにＯＮ電位を供給する必要がないので、ゲートドライバ３１の動作が簡単になるため、ＯＮ電位を供給する場合に比べ比較的安定な動作を期待でき、さらには低コスト化を図ることができる。また、電源電位の絶対値が低下中の動作として、ゲートラインＸ１〜Ｘｎを接地側に接続するという簡単な工程が必要とされるのみであるため、バッテリー外れ等の不意の電源喪失時にも確実に動作をすることができる。
【００５１】
なお、本実施の形態の以上までの説明において、ゲートドライバ３１は、電源電位低下検出信号を受けた後、全ゲートラインＸ１〜ＸｎをＯＮ動作させる、としてきたが、前記ゲートラインＸ１〜Ｘｎのうちの一部のゲートラインをＯＮ動作させる動作であってもよく、その場合も上記と同様の効果を得ることができる。
【００５２】
なお、以上の実施の形態１および２までの説明において、本発明の電源電位検出手段は、半導体スイッチ等であるとしたが、所定の電源電位において信号を出力することができるものであればどのようなものであってもよい。
【００５３】
また、上記の電源電位検出手段は、ＰＴ等の電源電位を観測する手段と、上記ＰＴ等において観測される電圧が所定の値に達したときに信号が出力される信号出力手段とにより構成されていてもよい。
【００５４】
また、以上までの説明において、例えば図３に示す、Ｖｃｏｍ、画素電位、補償信号ラインの電位の大小関係は一例であり、他の大小関係であることもあり得る。
【００５５】
また、以上までの説明では、ゲートドライバ２１、３１が、電源電位低下検出信号を受けたときに、補償信号ラインＸ１ｃ〜Ｘ１ｎに接地電位を供給する動作を説明したが、他からの入力により補償信号ラインＸ１ｃ〜Ｘ１ｎに接地電位が供給される動作であってもよく、その場合も上記と同様の効果を得ることができる。
【００５６】
また、以上までの説明において、電源電位低下検出信号を受けると、ソースドライバ２０はソースラインＳ１〜Ｓｍに接地電位を供給し、対向電極９、補償信号ラインＸ１ｃ〜Ｘ１ｎには接地電位が供給されるとしてきたが、ソースラインＳ１〜Ｓｍおよび対向電極９には、必ずしも接地電位が供給される必要はなく、ソースラインＳ１〜Ｓｍに供給される電位および対向電極９に供給される電位が等しくなればよい。その場合は、電源電位低下検出信号を受けたとき、ソースドライバ２０は、ソースラインＳ１〜Ｓｍと、対向電極９とを電気的に接続する構成であればよく、そのような場合も上記と同様の効果を得ることができる。
【００５７】
また、以上までの説明において、補償信号ラインＸ１ｃ〜Ｘ１ｎは、ゲートドライバ２１、３１に接続される構成であるとしたが、ゲートドライバ２１、３１とは別の構成の回路であって、ゲートドライバ２１、３１に同期して補償信号を供給する回路に接続されていてもよい。そのような別の構成の回路も本発明のゲートドライバ部に含まれる。
【００５８】
また、以上までの説明において、本発明の液晶表示装置は、携帯電話に使用される場合を想定してきたが、本発明の液晶表示装置は、ノートパソコン、携帯情報端末等、液晶画面を使用する装置であれば他の装置に使用される場合も当然あり得る。
【００５９】
また、以上までの説明において、本発明の液晶表示装置、本体２４にバッテリー２６、電源電位検出手段２７、液晶表示パネル５が一体的に収容される構成を示したが、これらの構成要素が別々に収容される構成であってもよい。
【００６０】
また、以上までの説明において、本発明の電源は、バッテリー２６であるとして説明してきだか、本発明の電源は、商用電源であってもよいし、他の電源であってもよい。その場合、電源の供給停止は、例えば、商用電源の場合では、電源ケーブルが不意に抜けること、または不意の停電等に相当する。そのような場合においても、上記と同様の効果を得ることができる。
【００６１】
また、以上までは、独立ＣＣ駆動１Ｈ反転液晶表示装置について説明したが、本発明の液晶表示装置は、独立ＣＣＤＩ（ドットインバージョン）型の液晶表示装置であってもよい。
【００６２】
また、本発明に係るプログラムは、上述した本発明の液晶表示装置のゲートドライバ部の全部または一部の機能をコンピュータにより実行させるためのプログラムであって、コンピュータと協働して動作するプログラムである。
【００６３】
また、本発明に係るプログラムは、上述した本発明の液晶表示装置のソースドライバ部の全部または一部の機能をコンピュータにより実行させるためのプログラムであって、コンピュータと協働して動作するプログラムである。
【００６４】
また、本発明に係る媒体は、上述した本発明の液晶表示装置のゲートドライバ部をコンピュータにより実行させるためのプログラムを担持した媒体であり、コンピュータにより読み取り可能かつ、読み取られた前記プログラムが前記コンピュータと協働して動作を実行する媒体である。
【００６５】
また、本発明に係る媒体は、上述した本発明の液晶表示装置のソースドライバ部をコンピュータにより実行させるためのプログラムを担持した媒体であり、コンピュータにより読み取り可能かつ、読み取られた前記プログラムが前記コンピュータと協働して動作を実行する媒体である。
【００６６】
なお、本発明の装置の一部の機能とは、それらの複数の機能のうちの、幾つかの機能または動作を意味するものである。
【００６７】
また、本発明のプログラムを記録した、コンピュータにより読み取り可能な記録媒体も本発明に含まれる。
【００６８】
また、本発明のプログラムの一利用形態は、コンピュータにより読み取り可能な記録媒体に記録され、コンピュータと協働して動作する態様であってもよい。
【００６９】
また、本発明のプログラムの一利用形態は、伝送媒体中を伝送し、コンピュータにより読み取られ、コンピュータと協働して動作する態様であってもよい。
【００７０】
また、記録媒体としては、ＲＯＭ等が含まれ、伝送媒体としては、インターネット等の伝送媒体、光、電波、音波等が含まれる。
【００７１】
また、上述した本発明のコンピュータは、ＣＰＵ等の純然たるハードウェアに限らず、ファームウェアや、ＯＳ、更に周辺機器を含むものであってもよい。
【００７２】
なお、以上説明したように、本発明の構成は、ソフトウェア的に実現してもよいし、ハードウェア的に実現してもよい。
【００７３】
【発明の効果】
以上のように、本発明によれば、独立ＣＣ駆動の液晶表示装置において、不意の電源の供給停止の場合でも、ＯＦＦ残像表示が少ない液晶表示装置、液晶表示装置の停止方法、そのプログラム、媒体を提供することができる。
【図面の簡単な説明】
【図１】図１は、本発明の実施の形態１の液晶表示装置の構成を示すブロック図である。
【図２】図２は、本発明の実施の形態１の液晶表示装置の一部の構成を示す回路図である。
【図３】図３は、本発明の実施の形態１の液晶表示装置の電源喪失時の動作を説明する図である。
【図４】図４は、従来の液晶表示装置の画素部分の等価回路を示す回路構成図である。
【図５】図５は、従来の液晶表示装置の、電源喪失時の動作を示す図である。
【図６】図６は、別の従来の液晶表示装置の、電源喪失時の動作を示す図である。
【図７】図７は、従来の液晶表示装置の一部の構成を示す回路図である。
【図８】図８は、従来の液晶表示装置の動作を説明する図である。
【図９】図９は、本発明の液晶表示装置の一部の構成を示す回路図である。
【図１０】図１０は、本発明の液晶表示装置の動作を説明する図である。
【符号の説明】
１  表示画素
２    ＴＦＴ
３    液晶表示素子
４    蓄積容量
５    液晶表示パネル
６    ソースライン
７  ゲートライン
８  補償信号ライン
９  対向電極
１０、２０  ソースドライバ
１１、２１  ゲートドライバ
２３  経路
２６    バッテリー
２７  電源電位検出手段
【図１】
2004240062.tif 000003
【図２】
2004240062.tif 000004
【図３】
2004240062.tif 000005
【図４】
2004240062.tif 000006
【図５】
2004240062.tif 000007
【図６】
2004240062.tif 000008
【図７】
2004240062.tif 000009
【図８】
2004240062.tif 000010
【図９】
2004240062.tif 000011
【図１０】
2004240062.tif 000012